(57)【要約】【課題】使用前の外圧等によって容器内で異なる材料が混合する事態は生じることなく、混合すべき材料との適正及び安定性に優れているとともに汎用性が広く、操作性の良好な混合用容器を提供することを目的とする。【解決手段】指先の押圧力で破断可能な隔壁板６によって容器本体２を複数の室に隔成してなる混合用容器を基本手段としている。具体的には容器本体２と蓋部材３を備え、該容器本体２の側壁に開口された指挿入口４と、容器本体２の内部に装備されて一端開口部が指挿入口４に連結された指挿入袋５と、容器本体２の内壁面に固定され、円周部近傍部位に断裂部７が形成された隔壁板６と、該隔壁板６によって容器本体２内に隔成された複数の室１５ａ，１５ｂとからなり、指挿入袋５に挿入した指先の押圧力により隔壁板６を破断させて、容器本体２内の前記複数の室に充填された異なる材料を一体に混合する混合用容器を提供する。【選択図】図１
2007055685.tif 000002
【特許請求の範囲】
【請求項１】
破断可能な隔壁板によって容器本体を複数の室に隔成してなることを特徴とする混合用容器。
【請求項２】
指先の押圧力で破断可能な隔壁板によって容器本体を複数の室に隔成してなることを特徴とする混合用容器。
【請求項３】
容器本体と蓋部材を備え、該容器本体の側壁に開口された指挿入口と、容器本体の内部に装備されて一端開口部が指挿入口に連結された指挿入袋と、容器本体の内壁面に固定され、円周部近傍部位に断裂部が形成された隔壁板と、該隔壁板によって容器本体内に隔成された複数の室とからなり、指挿入袋に挿入した指先の押圧力により隔壁板を破断させて、容器本体内の前記複数の室に充填された異なる材料を一体に混合するようにしたことを特徴とする混合用容器。
【請求項４】
容器本体と蓋部材を備え、該容器本体の側壁の上下方向略中心部に開口されて使用者の指先が挿入可能な指挿入口と、容器本体の内部に装備されて一端開口部が指挿入口に連結された指挿入袋と、上記指挿入袋の直下に位置する容器本体の内壁面に固定され、円周部近傍部位に断裂部が形成された板状もしくはフィルム状の隔壁板と、該隔壁板によって容器本体内に隔成された複数の室とからなり、指挿入口から指挿入袋に挿入した指先の押圧力により隔壁板を破断させて、容器本体内の前記複数の室に充填された異なる材料を一体に混合するようにしたことを特徴とする混合用容器。
【請求項５】
容器本体と蓋部材を備え、該容器本体の側壁の上下方向略中心部に開口されて使用者の指先が挿入可能な左右一対の指挿入口と、容器本体の内部に装備されて一端開口部が指挿入口に連結された一対の指挿入袋と、上記指挿入袋の直下に位置する容器本体の内壁面に固定され、円周部近傍部位に断裂部が形成された板状もしくはフィルム状の隔壁板と、該隔壁板によって容器本体内に隔成された複数の室と、隔成された１室をさらに２室に分割する壁部とからなり、指挿入口から指挿入袋に挿入した指先の押圧力により隔壁板を破断させて、容器本体内の前記複数の室に充填された異なる材料を一体に混合するようにしたことを特徴とする混合用容器。
【請求項６】
容器本体と蓋部材を備え、容器本体の側壁の任意の位置に設けた絞り込み部により該容器本体の内壁面の内側に突出形成された隔壁接着帯と、この隔壁接着帯上に載置固定され、円周部近傍部位に断裂部が形成された板状の隔壁板と、該隔壁板によって容器本体内に隔成された複数の室と、隔壁板の下面に突設された指筒受けと、上記隔壁接着帯の直下に位置する側壁に開口されて使用者の指先が挿入可能な指挿入口と、上記指挿入口から挿入されて先端部が指筒受けで支持された指筒とからなり、指挿入口から指筒に挿入した指先の押動により指筒受けを介在して隔壁板を破断させて、容器本体内の前記複数の室に充填された異なる材料を一体に混合するようにしたことを特徴とする混合用容器。
【請求項７】
容器本体と蓋部材を備え、容器本体の側壁の任意の位置に設けた絞り込み部により該容器本体の内壁面の内側に突出形成された隔壁接着帯と、隔壁接着帯の直上に位置する側壁に開口されて使用者の指先が挿入可能な指挿入口と、一端開口部が指挿入口に連結された指挿入袋と、指挿入口近辺から他方側の隔壁接着帯に向けて肉厚が増大する肉厚部と、肉厚部の指挿入口と反対方向の先端部に位置する部位に形成された肉薄部とから構成され、円周部近傍部位に断裂部が形成された板状の隔壁板と、隔壁板によって容器本体内に隔成された複数の室とからなり、指挿入袋に挿入した指先の押圧力により隔壁板を破断させて、容器本体内の前記複数の室に充填された異なる材料を一体に混合するようにしたことを特徴とする混合用容器。
【請求項８】
容器本体と蓋部材を備え、容器本体の側壁の任意の位置に設けた絞り込み部により該容器本体の内壁面の内側に突出形成された隔壁接着帯と、隔壁接着帯の直上に位置する側壁に開口されて使用者の指先が挿入可能な指挿入口と、一端開口部が指挿入口に連結された指挿入袋と、通常肉厚部と、通常肉厚部の略中央部に形成された指挿入口近辺から他方側の隔壁接着帯に向けて肉厚が増大する肉厚部と、肉厚部及び通常肉厚部の指挿入口と反対方向の先端部に位置する部位に形成された肉薄部とから構成され、円周部近傍部位に断裂部が形成された板状の隔壁板と、隔壁板によって容器本体内に隔成された複数の室とからなり、指挿入袋に挿入した指先の押圧力により隔壁板を破断させて、容器本体内の前記複数の室に充填された異なる材料を一体に混合するようにしたことを特徴とする混合用容器。
【請求項９】
前記指挿入袋を形成する部材を、容器本体を構成する材料と同一の材料で一体に成形した請求項７又は８記載の混合用容器。
【請求項１０】
隔壁板の肉厚部の先端に、突起部を形成した請求項７，８又は９記載の混合用容器。
【発明の詳細な説明】
【技術分野】
【０００１】
本発明は複数種の異なる材料を１つの容器内に各々を分離して収納保持し、使用時に容器内で一体に混合するようにした混合用容器に関するものである。
【背景技術】
【０００２】
従来から医療用輸液とか消化管撮影のための硫酸バリウム懸濁液，薬液，染毛剤，各種飲料等の種々の分野において、複数種の異なる材料を使用時までは１つの容器内に分離して収納保持し、使用時に容器内で一体に混合する手段が用いられている。例えば、硫酸バリウム懸濁液は、乳化剤，水等を添加して懸濁液を作成する必要があり、予め硫酸バリウム懸濁液作成用粉末を容器内の水に溶解して運搬する手段もあるが、使用直前に硫酸バリウム懸濁液作成用粉末を水に溶解して作成するのが最良とされている。懸濁させた状態で保存，流通させると写真の精度が悪くなったり、被診断者の口当たりが悪くなったりする難点があり、硫酸バリウム懸濁液としての性能が低下してしまうという課題がある。
【０００３】
また、各種飲料，例えば野外にてウイスキーの水割り，焼酎のレモン水割りなどを飲用する場合に、一つのコップ状容器内に水とウイスキー等を混合しないように分離して封入した製品が販売されており、購入者が飲用時に開封すると、ウイスキー等と水が混合してウイスキーの水割り等が自動的にできる二液混合容器が提供されている。染毛剤の場合は使用直前に２剤を混合させて使用するのが通例であり、食品分野でもレトルトパウチ等の二連袋が一般に提供されている。
【０００４】
特許文献１には第１容器内に第２容器を挿入して両者の開口部を密封した二液混合容器において、前記第２容器の底部は流通口を有するとともに、第１容器の内底部と第２容器の底部間にシール手段を設けて構成し、第２容器を開封して第１容器から外すと第１容器内の液体と第２容器内の液体とが混合するようにした二液混合容器が開示されている。
【０００５】
特許文献２には外周端部の周辺部にシール部を設けて袋体を構成し、該袋体を二室に区画する仮接着部を設け、該仮接着部により区画した二室のそれぞれに別種の内容物を収納し、使用時に前記の仮接着部を剥離させて別種の内容物を混合し得る混合用二連袋であり、かつ、該二連袋体を構成する積層体が外側から内側に向かって少なくとも耐熱性基材フィルム及びヒートシール性フィルム又は耐熱性基材フィルム、気体遮断性フィルム及びヒートシール性フィルムを順次に積層した構成からなり、上記のヒートシール性フィルムとして、エチレン−プロピレンコポリマーを主成分とし、これにオレフィン系ゴム成分を添加してなる組成物からなる無延伸ポリプロピレン系樹脂フィルムを使用したレトルトパウチが記載されている。
【０００６】
特許文献３には第１液充填口を備え、第１液を収容する内容器と第２液充填口を備え、第２液を収容する外容器とからなり、外容器に液吐出口を設け、内容器は第１液流出口に被着されているキャップを外容器の内部にて開封可能とされてなる２液混合容器において、内容器の第１液充填口が外容器の外面側に配置され、内容器に被着されるキャップは、第１液流出口の外周部に設けたキャップ係止部に係止し得る環状爪を備えた内筒部と、内筒部回りに一体成形された外筒部とを備え、キャップの被着状態下で外筒部の環状下端部は内容器の第１液流出口の付け根である肩部の斜面に対面配置され、外容器は、外容器内に組立保持された内容器のキャップ回りに対応する位置で、外容器の直径方向２位置に開封操作部を備え、外容器の開封操作部を挟圧する開封外力により、キャップの外筒部の変形を介して内筒部の環状爪を内容器のキャップ係止部から係止解除し、外筒部の下端部を内容器の肩部斜面に衝合しながら縮径させて外筒部の下端部を該肩部斜面にガイドさせて持ち上げ、キャップを第１液流出口から離脱せしめるようにした２液混合容器が開示されている。
【特許文献１】特開平６−２７０９６９号公報
【特許文献２】特開平９−２１６６４０号公報
【特許文献３】特許第３１０００９０号
【発明の開示】
【発明が解決しようとする課題】
【０００７】
しかしながら、前記したように硫酸バリウム懸濁液は使用直前に硫酸バリウム懸濁液作成用粉末を水に溶解して作成するのが最良であるが、作成後は時間の経過とともに硫酸バリウム懸濁液の性能が低下するため、検診直前に水量を測って容器に注入しなければならず、衛生上の観点からも問題があるとともに、集団検診時に胃検診バスを使用して多くの市町村の各種施設を巡回検診する場合には良質な水を確保しなければならないという課題がある。
【０００８】
前記の作成済み硫酸バリウム懸濁液は、冬季に凍結すると解凍しても使用することができない。また、容器底部に沈殿した硫酸バリウムは固化しやすいので、懸濁液状態に戻すには濃度が高いほど長時間容器を振らねばならず、多くの労力と時間を要するという難点がある。更に保存性と性能確保のため、硫酸バリウム粉末や添加物を多量に使用しなければならないので、口あたりが悪くなる上、コストアップを招来してしまうという問題がある。
【０００９】
各種飲料用の二液混合容器，例えば一つのコップ状容器内に水とウイスキーを混合しないように封入した製品の場合にも外圧による圧迫でコップの破損とか封入部の破断が生じる惧れがある。
【００１０】
染毛剤の場合は２剤を混合させて使用するのが一般的であるが、２剤の混合時に容器を倒立させたり薬剤をこぼしたりする事態が発生して周囲の環境を汚染するという問題がある。少量使用の際に小分けした商品がないケースでは、チューブ式の薬品を目分量で合わせて使用しているため、薬品の調合斑が起きやすいという問題がある。
【００１１】
また、前記レトルトパウチ等の二連袋においては、流通時において二連袋が外圧を受けて圧迫されることにより、仮接着部が簡単に剥離したり逆に剥離不良を起こすことがあり、仮接着部が簡単に剥離した場合には別種の内容物が二連袋内で混合してしまうという問題点がある。更に従来の混合用二連袋においては、固体と液体など種類の異なる内容物を混合する際に仮接着部の剥離不全が発生しやすく、十分に内容物の混合ができないという課題がある。
【００１２】
また、接着部を外力により破断するタイプの二連袋では、接着される部分に破断し易い材質を使用する必要があり、その材質と収納された材料との適性が合わない等の問題点があり、内容物が限定されるとともに混合用容器として使える汎用性が狭いという問題がある。従って接着部の剥離不全が発生せず、収納された材料との安定性に優れているとともに汎用性が広く、操作性も良好な混合用容器が求められているのが現状である。
【００１３】
そこで本発明は上記従来の問題点に鑑みて、使用前の外圧の圧迫等によって容器内で異なる材料が混合する事態が生じることなく、混合すべき材料との適正及び安定性に優れているとともに汎用性が広く、操作性の良好な混合用容器を提供することを目的とするものである。
【課題を解決するための手段】
【００１４】
本発明は上記目的を達成するために、破断可能な隔壁板によって、或いは指先の押圧力で破断可能な隔壁板によって容器本体を複数の室に隔成してなる混合用容器を基本手段としている。具体的には容器本体と蓋部材を備え、該容器本体の側壁に開口された指挿入口と、容器本体の内部に装備されて一端開口部が指挿入口に連結された指挿入袋と、容器本体の内壁面に固定され、円周部近傍部位に断裂部が形成された隔壁板と、該隔壁板によって容器本体内に隔成された複数の室とからなり、指挿入袋に挿入した指先の押圧力により隔壁板を破断させて、容器本体内の前記複数の室に充填された異なる材料を一体に混合する。
【００１５】
他の手段として、該容器本体の側壁の上下方向略中心部に開口されて使用者の指先が挿入可能な左右一対の指挿入口と、容器本体の内部に装備されて一端開口部が指挿入口に連結された一対の指挿入袋と、上記指挿入袋の直下に位置する容器本体の内壁面に固定され、円周部近傍部位に断裂部が形成された板状もしくはフィルム状の隔壁板と、該隔壁板によって容器本体内に隔成された複数の室と、隔成された１室をさらに２室に分割する壁部とからなり、指挿入口から指挿入袋に挿入した指先の押圧力により隔壁板を破断させて、容器本体内の前記複数の室に充填された異なる材料を一体に混合するようにした混合用容器を提供する。
【００１６】
更に容器本体の側壁の任意の位置に設けた絞り込み部により該容器本体の内壁面の内側に突出形成された隔壁接着帯と、この隔壁接着帯上に載置固定され、円周部近傍部位に断裂部が形成された板状の隔壁板と、該隔壁板によって容器本体内に隔成された複数の室と、隔壁板の下面に突設された指筒受けと、上記隔壁接着帯の直下に位置する側壁に開口されて使用者の指先が挿入可能な指挿入口と、上記指挿入口から挿入されて先端部が指筒受けで支持された指筒とからなり、指挿入口から指筒に挿入した指先の押動により指筒受けを介在して隔壁板を破断させて、容器本体内の前記複数の室に充填された異なる材料を一体に混合するようにした混合用容器を提供する。
【００１７】
本発明の他の手段として、容器本体と蓋部材を備え、容器本体の側壁の任意の位置に設けた絞り込み部により該容器本体の内壁面の内側に突出形成された隔壁接着帯と、隔壁接着帯の直上に位置する側壁に開口されて使用者の指先が挿入可能な指挿入口と、一端開口部が指挿入口に連結された指挿入袋と、通常肉厚部と、通常肉厚部の略中央部に形成された指挿入口近辺から他方側の隔壁接着帯に向けて肉厚が増大する肉厚部と、肉厚部及び通常肉厚部の指挿入口と反対方向の先端部に位置する部位に形成された肉薄部とから構成され、円周部近傍部位に断裂部が形成された板状の隔壁板と、隔壁板によって容器本体内に隔成された複数の室とからなり、指挿入袋に挿入した指先の押圧力により隔壁板を破断させて、容器本体内の前記複数の室に充填された異なる材料を一体に混合するようにした混合用容器を提供する。指挿入袋を形成する部材を、容器本体を構成する材料と同一の材料で一体に成形する。また、隔壁板の肉厚部の先端には、突起部を形成する。
【発明の効果】
【００１８】
本発明にかかる混合用容器によれば、使用者が容器本体の側壁に開口された指挿入口から指先を挿入して隔壁板を破断させることで容器本体内の複数の室内に充填されている異なる材料を一体に混合することが可能であり、しかも複数の室を隔成するための隔壁板の剥離等の事態は発生しない上、使用時にも指先を用いた押圧という簡易な作業を行えばよいため、操作性に優れているとともに収納する材料が限定されることがなく、汎用性を高めることができる。
【００１９】
特に硫酸バリウム懸濁液のように使用前に硫酸バリウム懸濁液作成用粉末を水に溶解して作成するケースでは、巡回検診時の水の確保及び検診直前に水量を測って容器に注入する等の煩瑣な操作は要求されず、予め容器本体内に作成用粉末と水量で適正量に充填しておくことにより、迅速に最適な品質のものを製造することができる。そのため、粉末や添加物を多量に使用する必要がないので口あたりも良好であって最良の巡回検診が可能となり、操作性とともに衛生上の観点からも好ましい混合用容器が得られる。
【００２０】
また、染毛剤に適用した場合には混合時の容器の倒立とか薬剤のこぼれによる環境汚染の惧れはなくなり、迅速に最適の状態に混合することができて、薬剤の調合斑が生じるおそれがない。
【００２１】
従って本発明によれば、使用前の輸送時や保管時において外圧による圧迫等によって意に反して容器内で材料が混合されるといった事態が発生せず、混合すべき材料を使用時まで安定した状態で分離することができ、使用時には操作性に優れて適正な混合物を得ることができる汎用性の高い混合用容器を提供することができる。
【発明を実施するための最良の形態】
【００２２】
以下図面に基づいて本発明にかかる混合用容器の最良の実施形態を説明する。図１は本発明にかかる混合用容器１の第１実施形態を全体的に示す側面図、図２は図１のＡ−Ａ側断面図、図３は図１の容器本体２の一部を破断したＢ−Ｂ断面図であり、この混合用容器１は外見上から有底円筒状の容器本体２と蓋部材３を基本構成としており、該容器本体２の側壁の上下方向略中心部に使用者の指先が挿入可能な指挿入口４が開口されている。図２に示すように容器本体２の内部には、一端開口部が指挿入口４に連結された指挿入袋５が装備されている。この指挿入袋５を形成する部材は、自在に伸縮可能なゴムもしくは合成樹脂材料その他の適宜素材で構成されている。なお、容器本体２は指挿入口４が装備された中央部（図１のＡ−Ａ線とＣ−Ｃ線に囲まれた部分）と、該中央部より上の上部と、該中央部より下の下部に３分割して形成し、これをヒートシール等適宜の手段で一体に連結することにより製造するとよい。
【００２３】
図２，図３に示したように、容器本体２の上記指挿入袋５の直下に位置する内壁面には、板状もしくはフィルム状の隔壁板６が固定されており、この隔壁板６によって容器本体２の内部が上部の第１室１５ａと下部の第２室１５ｂとに液密状態で隔成されている。隔壁板６は円板状の形状を有していて、円周部近傍部位に断裂部７が形成されており、該断裂部７によって容器本体２の中央部に位置する円板状の隔壁中央部６ａと、断裂部７と容器本体２の内壁面との間に位置する環状の隔壁縁部６ｂとに画成されている。そして、図４の要部拡大断面図に示したように、断裂部７は隔壁板６の一部をＶ字状に切り欠いて構成されており、指挿入口４から使用者の指を挿入して隔壁中央部６ａを下方に押圧した際に、或いは棒状体その他の押圧部材で押圧した際に該隔壁中央部６ａが断裂部７で容易に破断可能となっている。
【００２４】
容器本体２の底壁２ａには、前記第２室１５ｂに材料を充填するための注入口２０が開口されている。この注入口２０から材料が充填された後は、熱シール等の適宜の手段にて閉塞される。１２，１３は隔壁板固定爪である。
【００２５】
図３に示したように、蓋部材３は筒状外壁８と筒状外壁８の上端開口部を被覆する上壁９とからなり、筒状外壁８の内側にはねじ切り部８ａが刻設されている。そして容器本体２の上方から伸びるやや小径の筒状突出部１０の外壁面にねじ切り部１１が刻設されており、容器本体２に蓋部材３を嵌合する際には、筒状外壁８の内側に刻設されたねじ切り部８ａと容器本体２の筒状突出部１０の外壁面に刻設されたねじ切り部１１とが噛み合って密に螺合固定される。なお、容器本体２と蓋部材３の形状に限定はなく、他の形状であっても差し支えない。
【００２６】
かかる第１実施形態の混合用容器の使用形態を以下に説明する。先ず容器本体２から蓋部材３を取り外して上部の第１室１５ａ内に所定の材料を注入充填し、ねじ切り部８ａとねじ切り部１１との噛み合いによって蓋部材３を密に螺合固定するとともに、混合用容器１が未使用であることの証として、混合用容器１全体を被覆するように公知のバージンシールを施すか、或いは蓋部材３及び容器本体２の双方に公知のバージンシールを施すようにする。次に容器本体２の底壁２ａに開口された注入口２０から下部の第２室１５ｂ内に、第１室１５ａ内に注入した材料とは異なる材料であって使用時に混合すべき材料を注入充填し、注入口２０は熱シール等の手段によって閉塞する。注入する材料は、液体，粉体，固体もしくは液体と粉体及び固体の組み合わせであってもよい。
【００２７】
次に混合用容器の利用時には、使用者が容器本体２の側壁に開口された指挿入口４から指挿入袋５に指先を挿入して隔壁板６を下方に押圧する。このときの押圧力により隔壁板６の隔壁中央部６ａが断裂部７で容易に破断して、第２室１５ｂ内に屈曲されるので、容器本体２内の第１室１５ａと第２室１５ｂとが連通し、第１室１５ａと第２室１５ｂとに充填されている異なる材料が一体に混合される。図５は隔壁板６を破断した状態を示す図１のＡ−Ａ側断面図、図６は同隔壁板６を破断した状態を示す図１のＢ−Ｂ断面図であり、隔壁中央部６ａが第２室１５ｂ内に屈曲されるとともに、隔壁縁部６ｂはそのままの位置に留まる。
【００２８】
上記動作態様によれば、予め第１室１５ａと第２室１５ｂに保持収納されている材料、例えば硫酸バリウム懸濁液作成用粉末と水とを使用直前に一体に混合して硫酸バリウム懸濁液を作成するという使用形態を容易に実現することができる。また、第１室１５ａと第２室１５ｂにウイスキーと水もしくは焼酎とレモン水を充填しておくことにより、野外にて飲料用としてのウイスキーの水割りとか焼酎のレモン水割りなどを簡単に作成することができる。
【００２９】
図７は本発明の第２実施形態を示す要部平断面図であり、この例では容器本体２内に隔成された前記第２室１５ｂを、第２室１５ｂ内に立設された壁部２１によって更に液密の２室に分割し、該容器本体２の側壁の上下方向略中心部の左右両側に使用者の指が挿入可能な一対の指挿入口４，４が開口され、各指挿入口４，４に一端開口部が各指挿入口４，４に連結された指挿入袋５，５が装備されている。そして指挿入袋５，５の直下に位置する容器本体の内壁面に板状もしくはフィルム状の２つの隔壁板６，６が固定されており、隔壁板６，６の円周部近傍部位と壁部２１の近傍部位に断裂部７，７が形成されている。他の構成要素は前記第１実施形態と一致している。なお、壁部２１を設けずに第２室１５ｂを２室に分割することなく、１室のままとしてもよい。その場合隔壁板６，６を２つ設けたことにより、隔壁板６，６の断裂が容易となる。あるいは、壁部２１を２枚以上設置し、第２室１５ｂを３室以上に分割し、それぞれに隔壁板６を設けることにより、収納物の種類を４種以上とすることも可能である。
【００３０】
かかる第２実施形態によれば、容器本体２が大型であるケースでも左右一対の指挿入口４，４に各指先２本を挿入して隔壁板６，６を下方に押圧することで隔壁板６，６を断裂部７，７で破断させて、容器本体２内の第１室１５ａと第２室１５ｂに充填されている異なる材料を一体に混合することができる。また、第２室１５ｂが壁部２１によって２室に分割されていることにより、容器本体２内が計３室に隔成されるので、各室に夫々別々の材料、例えばトリートメント剤，Ａ液，Ｂ液から成る染毛剤、或いはレモン，水，ウイスキーからなるアルコール飲料、更には焼酎，水，梅からなるアルコール飲料等の異なる３種類の材料を混合しない状態で保持収納し、使用時に前記操作によって容器本体２内で混合して目的とする別の材料等を作成するという使用形態を採ることができる。
【００３１】
図８は本発明の第３実施形態の完成前の状態を示す要部側断面図であり、この例では容器本体２の側壁の中央部に絞り込み部２２を設けて該容器本体２の内壁面に内側に突出する隔壁接着帯２３を形成し、この隔壁接着帯２３上に円板状の隔壁板２６を載置固定する。該隔壁板２６によって容器本体２の内部が上部の第１室１５ａと下部の第２室１５ｂとに液密状態で隔成される。隔壁板２６の円周部近傍部位に前記例と同様な断裂部７が形成されており、該断裂部７によって容器本体２の中央部に位置する円板状の隔壁中央部２６ａと、断裂部７と容器本体２の内壁面との間に位置する環状の隔壁縁部２６ｂとに画成されている。また、隔壁板２６の下面には爪部２６ｄが形成された指筒受け２６ｃが突設されている。上部の第１室１５ａと下部の第２室１５ｂに収納される内容物の収納方法は前記した第１実施形態と同様であり、本第３実施形態でも容器本体２の底壁２ａには、前記第２室１５ｂに材料を充填するための注入口２０が開口されている。
【００３２】
上記絞り込み部２２の直下に位置する部位に使用者の指先が挿入可能な指挿入口４が開口されている。１４は指挿入口４の下方の容器本体２の内壁面に設けた隔壁板固定爪である。図１２は指挿入口４に挿入する一端が開口された筒状の指筒２４と、この指筒２４の開口縁部に連接された矩形状の指筒固定シート２５の斜視図である。図１３は図１２の中央縦断面図である。この指筒固定シート２５は可撓性を有するフィルム状の素材からなり、図９に示すように指挿入口４から指筒２４を挿入するとともに、指筒固定シート２５を容器本体２の絞り込み部２２の外周に密着させて接着し、ヒートシールその他の手段で固着する。そして、指筒２４の先端部を指筒受け２６ｃで支持するように設置する。また、指筒固定シート２５としてシュリンクフィルムを使用して容器本体２の絞り込み部２２の外周に密着させるようにしてもよい。
【００３３】
かかる第３実施形態によれば、使用時に指挿入口４から指筒２４内に指先を挿入して指筒受け２６ｃを下方に押動することで該指筒受け２６ｃを介在して隔壁板２６の隔壁中央部２６ａが断裂部７で破断して、第２室１５ｂ内に屈曲して容器本体２内の第１室１５ａと第２室１５ｂに充填されている異なる材料を一体に混合することができる。このときに指筒受け２６ｃの爪部２６ｄが隔壁板固定爪１４の爪部に嵌合固定される。図１０は隔壁板２６を破断した状態を示す要部側断面図であり、図１１は隔壁板２６の破断前の状態を示す図９のＤ−Ｄ部分の横断面図である。
【００３４】
図１４は本発明の第４実施形態の完成前の状態を示す要部側断面図、図１５は図１４のＥ−Ｅ断面図、図１６は図１５のＦ−Ｆ部の要部拡大端面図、図１７は図１５のＧ−Ｇ部の要部拡大端面図である。図において、容器本体２の側壁中央部に絞り込み部２２を設けて該容器本体２の内壁面に内側に環状に突出する隔壁接着帯２３を形成し、絞り込み部２２の直上に位置する部位に使用者の指先が挿入可能な指挿入口４を開口する。５は一端開口部が指挿入口４に連結された薄膜状の指挿入袋である。この指挿入袋５を形成する部材は、前記例と同様に伸縮可能なゴムもしくは合成樹脂材料でもよいが、本実施形態では指挿入袋５は容器本体２を構成する材料と同一の材料でなり、容器本体２と一体に成形されている。
【００３５】
上記隔壁接着帯２３上に円板状の隔壁板２６を載置固定する。この隔壁板２６は、基準となる通常肉厚部２６ｆと、該通常肉厚部２６ｆの略中央部に形成された指挿入口４近辺から他方側の隔壁接着帯２３に向けて肉厚が増大する肉厚部２６ｅと、該肉厚部２６ｅ及び通常肉厚部２６ｆの指挿入口４と反対方向の先端部に位置する部位に形成された肉薄部２６ｇとから構成されている。また、肉厚部２６ｅの先端には尖鋭で肉厚の突起部２６ｈが形成されている。なお、図において突起部２６ｈは垂直に起立しているが、肉薄部２６ｇにむけて外方に傾斜するテーパ状に形成してもよい。隔壁板２６の円周部近傍部位には前記例と同様な溝状の断裂部７が形成されており、該断裂部７を介して容器本体２の中央部に位置する円板状の隔壁板２６（肉厚部２６ｅ＋通常肉厚部２６ｆ＋肉薄部２６ｇ）は、容器本体２の内壁面との間に位置する環状の隔壁縁部２６ｂと連接されている。図１６，図１７に示すように、肉薄部２６ｇを介在させたことにより、肉厚部２６ｅの先端に位置する肉厚の突起部２６ｈに力がかかりやすく構成している。
【００３６】
この該隔壁板２６によって容器本体２の内部が上部の第１室１５ａと下部の第２室１５ｂとに液密状態で隔成される。１２は隔壁板固定爪である。尚、蓋部材３の筒状外壁８の内側にはねじ切り部８ａが刻設され、容器本体２の筒状突出部１０の外壁面にねじ切り部１１が刻設されており、容器本体２に蓋部材３を嵌合する際にねじ切り部８ａと１１とが噛み合って密に螺合固定される構成は第１，第２実施形態で説明した構成と一致している。
【００３７】
かかる第４実施形態によれば、使用時には図１８に示したように指挿入口４から指挿入袋５を容器本体２内に押し込み、この指挿入袋５内に挿入した指先にやや力を込めて隔壁板２６を下方に押動することで該隔壁板２６が断裂部７で破断して第２室１５ｂ内に屈曲し、容器本体２内の第１室１５ａと第２室１５ｂに充填されている異なる材料を一体に混合することができる。図１９は図１８のＨ−Ｈ断面図、図２０は隔壁板２６を破断した状態を示す要部側断面図である。
【００３８】
上記隔壁板２６は、第１室１５ａ内に充填された内容物を支える能力が要求されるとともに使用者の指先の適度な押動力で容易に破断する性能も要求される。本第４実施形態では、基準となる通常肉厚部２６ｆと、該通常肉厚部２６ｆの略中央部に形成された指挿入口４近辺から他方側の隔壁接着帯２３に向けて肉厚が増大する肉厚部２６ｅと、該肉厚部２６ｅ及び通常肉厚部２６ｆの指挿入口４と反対方向の先端部に位置する部位に形成された肉薄部２６ｇとから構成され、又肉厚部２６ｅの先端には尖鋭な肉厚の突起部２６ｈが形成されているため、使用者の指先の押動力を肉厚部２６ｅで受け止めて突起部２６ｈに伝達することで、指先の押動力が突起部２６ｈに集中して隔壁板２６を断裂部７で確実に破断させるとともに、該隔壁板２６に第１室１５ａ内に充填された内容物を支えるに必要な十分な能力を保持させたことが本実施形態の特徴となっている。
【産業上の利用可能性】
【００３９】
以上詳細に説明したように、本発明によれば固体と液体など種類の異なる材料を混合する場合でも仮接着部の剥離及び剥離不全等が発生しない上、使用時には容器本体の側壁に開口された指挿入口から指先を挿入して隔壁板を破断させるという簡易な作業を行えばよいため、操作性に優れているとともに隔壁板と収納された材料との適性も良好であって収納する材料が限定されることがなく、汎用性を高めることができるため、医療用輸液とか消化管撮影硫酸バリウム懸濁液の容器，薬液，レトルトパウチの混合用容器，染毛剤等の外、ウイスキーの水割り，焼酎のレモン水割りなどの飲料用としても利用することができる。
【図面の簡単な説明】
【００４０】
【図１】本発明にかかる混合用容器の第１実施形態を全体的に示す側面図。
【図２】図１のＡ−Ａ側断面図。
【図３】図１の容器本体の一部を破断したＢ−Ｂ断面図。
【図４】隔壁板の要部拡大断面図。
【図５】隔壁板を破断した状態を示す図１のＡ−Ａ側断面図。
【図６】隔壁板を破断した状態を示す図１のＢ−Ｂ断面図。
【図７】本発明の第２実施形態を示す要部平断面図。
【図８】本発明の第３実施形態の完成前の状態を示す要部側断面図。
【図９】第３実施形態の使用前の状態を示す要部側断面図。
【図１０】第３実施形態の使用後の状態を示す要部側断面図。
【図１１】図９のＤ−Ｄ部分の横断面図。
【図１２】指筒固定シートに連設された指筒の斜視図。
【図１３】図１２の中央縦断面図。
【図１４】本発明の第４実施形態を示す要部側断面図。
【図１５】図１４のＥ−Ｅ断面図。
【図１６】図１５のＦ−Ｆ部の要部拡大端面図。
【図１７】図１５のＧ−Ｇ部の要部拡大端面図。
【図１８】第４実施形態の使用前の状態を示す要部側断面図。
【図１９】図１８のＨ−Ｈ断面図。
【図２０】第４実施形態の使用後の状態を示す要部側断面図。
【符号の説明】
【００４１】
１…混合用容器
２…容器本体
２ａ…底壁
３…蓋部材
４…指挿入口
５…指挿入袋
６，２６…隔壁板
６ａ，２６ａ…隔壁中央部
６ｂ，２６ｂ…隔壁縁部
７…断裂部
８…筒状外壁
９…上壁
１０…筒状突出部
１２，１３，１４…隔壁板固定爪
１５ａ…第１室
１５ｂ…第２室
２０…注入口
２１…壁部
２２…絞り込み部
２３…隔壁接着帯
２４…指筒
２５…指筒固定シート
２６ｃ…指筒受け
２６ｄ…爪部
２６ｅ…肉厚部
２６ｆ…通常肉厚部
２６ｇ…肉薄部
２６ｈ…突起部
【図１】
2007055685.tif 000003
【図２】
2007055685.tif 000004
【図３】
2007055685.tif 000005
【図４】
2007055685.tif 000006
【図５】
2007055685.tif 000007
【図６】
2007055685.tif 000008
【図７】
2007055685.tif 000009
【図８】
2007055685.tif 000010
【図９】
2007055685.tif 000011
【図１０】
2007055685.tif 000012
【図１１】
2007055685.tif 000013
【図１２】
2007055685.tif 000014
【図１３】
2007055685.tif 000015
【図１４】
2007055685.tif 000016
【図１５】
2007055685.tif 000017
【図１６】
2007055685.tif 000018
【図１７】
2007055685.tif 000019
【図１８】
2007055685.tif 000020
【図１９】
2007055685.tif 000021
【図２０】
2007055685.tif 000022